(57)【要約】      （修正有）【課題】足のサイズに対して靴が僅かに大き過ぎてフィットしない場合に、靴を足にフィットさせることができる靴着用補助具を提供する。【解決手段】靴着用補助具１は、所要径の輪状をなしており、全体をゴムバンド２によって構成すると共に、該ゴムバンド２を合成皮革からなる化粧カバー３で被覆している。足Ｆに靴Ｓを着用した状態において足の甲Ｆ１と靴の土踏まずＳ１の部分を取り巻くように被せて装着する。この部分を外周から適宜の圧力で緊締し、靴を窄めて足にフィットさせる。【選択図】図２
0003141826.tif 000002
【実用新案登録請求の範囲】
【請求項１】
所要径の輪状になし、全体又は一部を伸縮性を有する部材をもって構成すると共に、該伸縮性を有する部材を化粧カバーで被覆してなることを特徴をする靴着用補助具。
【請求項２】
伸縮性を有する部材がゴムバンドである請求項１記載の靴着用補助具。
【請求項３】
全体を伸縮性を有する部材をもって構成する場合において、足の甲に位置する側の部分に装飾部材を着脱可能に取り付けるようになした請求項１又は２記載の靴着用補助具。
【請求項４】
一部を伸縮性を有する部材をもって構成する場合において、足の甲に位置する側の部分に適宜の装飾部材を配置してなる請求項１又は２記載の靴着用補助具。
【考案の詳細な説明】
【技術分野】
【０００１】  本考案は靴着用補助具に関し、更に詳細には着用者の足のサイズに対して靴が僅かに大き過ぎてフィットしない場合に、足に靴を着用した状態において足の甲と靴の土踏まずの部分を取り巻くように被せて装着することにより、この部分を外周から適宜の圧力で緊締し、靴を窄めて足にフィットさせることができるようになした靴着用補助具に係わる。
【背景技術】
【０００２】  例えば、結婚式等における花嫁の衣装は、貸衣装が殆どである。そして、この場合においてドレスの場合は衣装に靴も含まれている。【０００３】  このような貸衣装の場合において、貸した靴が返されて戻ってくるときには、殆どの場合に広がって大きくなっている。このため、次に借りる人において、通常着用している自分の靴のサイズと同じサイズでありながら、僅かに大き過ぎてフィットせず、着用したときにしっくりしないことが多い。
【考案の開示】
【考案が解決しようとする課題】
【０００４】  本考案は上記の点に鑑みなされたものであって、着用者の足のサイズに対して靴が僅かに大き過ぎてフィットしない場合に、足に靴を着用した状態において足の甲と靴の土踏まずの部分を取り巻くように被せて装着することにより、この部分を外周から適宜の圧力で緊締し、靴を窄めて足にフィットさせることができるようになした靴着用補助具を提供しようとするものである。
【課題を解決するための手段】
【０００５】  而して、本考案の要旨とするところは、所要径の輪状になし、全体又は一部を伸縮性を有する部材をもって構成すると共に、該伸縮性を有する部材を化粧カバーで被覆してなることを特徴をする靴着用補助具にある。【０００６】  また、上記構成において、伸縮性を有する部材としてはゴムバンドが好ましい。【０００７】  また、上記構成において、全体を伸縮性を有する部材をもって構成する場合においては、足の甲に位置する側の部分に装飾部材を着脱可能に取り付けるようになしてもよい。【０００８】  また、上記構成において、一部を伸縮性を有する部材をもって構成する場合においては、足の甲に位置する側の部分に適宜の装飾部材を配置するものである。
【考案の効果】
【０００９】  本考案は上記の如き構成であるから、着用者の足のサイズに対して靴が僅かに大き過ぎてフィットしない場合に、足に靴を着用した状態において足の甲と靴の土踏まずの部分を取り巻くように被せて装着することにより、この部分を外周から適宜の圧力で緊締し、靴を窄めて足にフィットさせることができるものである。そしてまた、伸縮性を有する部材を化粧カバーで被覆しているから、アクセサリーとしても利用することができるものである。【００１０】  また、全体を伸縮性を有する部材をもって構成する場合において、足の甲に位置する側の部分に、例えばドレスに合わせたコサージュ等の装飾部材を装着することにより、より一層お洒落な雰囲気を醸し出すことができるものである。【００１１】  また、一部を伸縮性を有する部材をもって構成する場合において、足の甲に位置する側の部分に、例えばイミテーションの宝石を一連にしたチェーン等からなる装飾部材を配置した場合にも、上記と同様に、より一層お洒落な雰囲気を醸し出すことができるものである。
【考案を実施するための最良の形態】
【００１２】  以下、本考案に係る靴着用補助具を実施するための最良の形態について、図面を参照して説明する。【００１３】  図１は本考案の第１実施形態に係る靴着用補助具の一部切断して示した斜視図、図２は使用状態の斜視図、図３は使用状態の側面図である。【００１４】  図中、１は靴着用補助具である。また、該靴着用補助具１は、所要径の輪状をなしており、足に靴を着用した状態において足の甲と靴の土踏まずの部分を取り巻くように被せて装着することにより、この部分を外周から適宜の圧力で緊締し、靴を窄めて足にフィットさせることができるに適した径としている。【００１５】  また、該靴着用補助具１は、全体をゴムバンド２によって構成すると共に、該ゴムバンド２を合成皮革からなる化粧カバー３で被覆している。尚、該化粧カバー３は、本実施形態では合成皮革によって制作しているが、布、ビニール、その他適宜の部材を採用可能である。【００１６】  そして、斯かる靴着用補助具１は、図２及び図３に示す如く、足Ｆに靴Ｓを着用した状態において足の甲Ｆ１と靴の土踏まずＳ１の部分を取り巻くように被せて装着するものである。これにより、この部分を外周から適宜の圧力で緊締し、靴を窄めて足にフィットさせることができるものである。そしてまた、ゴムバンド２を化粧カバー３で被覆しているから、アクセサリーとしても利用することができるものである。【００１７】  また、本実施形態では靴着用補助具１における足の甲Ｆ１に位置する側の部分に、ドレスに合わせた装飾部材としてのバラのコサージュ４を装着している。これにより、より一層お洒落な雰囲気を醸し出すことができるものである。【００１８】  次に、図４に示した本考案の第２実施形態について説明する。
本実施形態は、一部をゴムバンド２をもって構成し、足の甲Ｆ１に位置する側の部分に、例えばイミテーションの宝石を一連にしたチェーン等からなる装飾部材５を配置してなるものである。尚、該ゴムバンド２は、図示した如く１本に限らず、２本以上の複数を用いて平行にさせてもよく、また、装飾部材５については、図示したもの以外に、例えば布やビニールのレース等、適宜のものを採用可能である。また、その他の構成並びに作用については前記第１実施形態と同様であるから、同一の部材には同一の符号を付して詳細な説明は省略する。【００１９】  而して、本実施形態における場合にも、前記と同様により一層お洒落な雰囲気を醸し出すことができるものである。
【図面の簡単な説明】
【００２０】
【図１】本考案の第１実施形態に係る靴着用補助具の一部切断して示した斜視図である。
【図２】使用状態の斜視図である。
【図３】使用状態の側面図である。
【図４】本考案の第２実施形態に係る靴着用補助具の一部切断して示した斜視図である。
【符号の説明】
【００２１】  １  靴着用補助具
２  ゴムバンド
３  化粧カバー
４  装飾部材
５  装飾部材
【図１】
0003141826.tif 000003
【図２】
0003141826.tif 000004
【図３】
0003141826.tif 000005
【図４】
0003141826.tif 000006